(57)【要約】【課題】送配電用電線を接続するための圧縮スリーブを圧縮ヘッドを用いてその全長に亘って圧縮するときに、圧縮処理後の圧縮スリーブが湾曲しないようにする。【解決手段】本発明の支持器１は、直線状に伸びる案内レール部４を備えた基台２と、基台２上に配設される圧縮ヘッド５１を搭載する搭載バケット３と、基台２の両端に取り付けられた圧縮スリーブ６０の両端に挿入された送配電用電線６１，６２を保持する一対の保持部材２０ａ，２０ｂとを備えている。保持部材２０ａ，２０ｂは、送配電用電線６１，６２を、この電線６１，６２と圧縮スリーブ６０とが直線状に並ぶように保持する。搭載バケット１０は、その底面に設けられたローラ１２，１４により、案内レール部４に沿って移動できるようになっている。圧縮スリーブ６０の圧縮位置を変更するときは、搭載バケット１０を案内レール部４に沿って移動させることにより、圧縮ヘッド５１を圧縮スリーブ６０の伸長方向に平行移動させる。【選択図】図１
2008234891.tif 000002
【特許請求の範囲】
【請求項１】
接続されるべき送配電用電線が挿入された圧縮スリーブを圧縮ダイスで圧縮する圧縮ヘッドの支持器であって、
前記送配電用電線を、該送配電用電線と前記圧縮スリーブとが直線状に並ぶように保持する保持手段と、
前記圧縮ヘッドが前記圧縮スリーブに対して該圧縮スリーブの伸長方向に平行移動するように、前記圧縮ヘッド及び前記保持手段の少なくとも一方を移動させる移動手段と、
を備えていることを特徴とする圧縮ヘッドの支持器。
【請求項２】
前記移動手段が、
前記圧縮スリーブと平行に伸びる直線状の案内レール部を備えた基台と、
前記基台上に配設され、前記案内レール部に沿って走行する、前記圧縮ヘッドを搭載するための搭載バケットと、
を備えていることを特徴とする、請求項１に記載の圧縮ヘッドの支持器。
【請求項３】
前記圧縮ヘッドの圧縮ダイスが、固定ダイスと可動ダイスとから構成されており、
前記保持手段が、前記圧縮スリーブの外周面が前記固定ダイスの内周面に当接するように、前記送配電用電線を保持することを特徴とする、請求項１又は２に記載の圧縮ヘッドの支持器。
【請求項４】
前記基台に、前記搭載バケットの移動距離を測定するための目盛りが設けられていることを特徴とする、請求項２又は３に記載の圧縮ヘッドの支持器。
【請求項５】
前記保持手段が、前記基台に取り付けられており、
前記基台から上方に伸びている支柱と、
該支柱の先端に設けられ、前記圧縮スリーブと平行に伸びている、前記送配電用電線を下方から支える支持体と、
を備えていることを特徴とする、請求項２〜４のいずれか１項に記載の圧縮ヘッドの支持器。
【請求項６】
前記保持手段の支柱の長さが調整可能になっていることを特徴とする、請求項５に記載の圧縮ヘッドの支持器。
【請求項７】
前記保持手段が、前記圧縮スリーブの一方の端部から挿入された送配電用電線を保持する第１の保持部材と、前記圧縮スリーブの他方の端部から挿入された送配電用電線を保持する第２の保持部材とから構成されており、
第１の保持部材が、前記基台に固定されており、
第２の保持部材が、前記基台に第１の保持部材と離反する方向に移動可能に取り付けられており、付勢手段により第１の保持部材に近接する方向に付勢されていることを特徴とする、請求項２〜６のいずれか１項に記載の圧縮ヘッドの支持器。
【発明の詳細な説明】
【技術分野】
【０００１】
本発明は、送配電用電線を接続する際に使用される圧縮機の圧縮ヘッドを支持する支持器に関する。
【背景技術】
【０００２】
送配電用電線が積雪や落雷等により損傷を受けたときは、損傷部分を除去した後、残った電線どうしあるいは残った電線と新規な電線とを圧縮スリーブを用いて接続する修復作業が行われる。この修復作業の際には、図７に示すような、圧縮ヘッド５１と油圧ポンプ５４とを備えた圧縮機５０（例えば、実公昭５０−３１４９８号公報（特許文献１）参照）が使用される。図８は、圧縮ヘッド５１に圧縮スリーブ６０が配設された状態を示す概略図である。
【０００３】
具体的には、まず、１０〜４０ｋｇの重量を有する圧縮ヘッド５１を地面上に配置し、次いで、接続されるべき２本の電線６１，６２を、裸電線の場合にはそのまま、表面に絶縁層が施された被覆電線の場合には絶縁層を除去した後に管状の圧縮スリーブ６０の両端から挿入し、電線６１，６２が挿入された圧縮スリーブ６０を、圧縮ヘッド５１の固定ダイス５２と可動ダイス５３の間に設置する。そして、２名の作業員が圧縮ヘッド５１の両側に立ち、圧縮スリーブ６０に挿入された電線６１，６２を把持し、固定ダイス５２の内周面５２ａに圧縮スリーブ６０の外周面６０ａを当接させる。この状態で、別の作業員が油圧ポンプ５４を操作すると、油圧ポンプ５４により可動ダイス５３が固定ダイス５２側に移動し、圧縮スリーブ６０の圧縮処理が行われる。１回の圧縮処理が終了すると、電線６１，６２を把持している２名の作業員が、圧縮スリーブ６０をその伸長方向にスライドさせる。スライド量は、前の圧縮部に新たな圧縮部が所定のラップ幅で重なるように、圧縮スリーブの種類ごとに予め定められている。そして、新たに可動ダイス５３と固定ダイス５２の間に配置された圧縮位置に、再び圧縮処理が行われる。ラップ幅が所定の値から増減すると、圧縮不足または過圧縮の状態になるため、適正なラップ幅を確保するために、もう一人の作業員が圧縮ヘッド５１の上方からスライド量を確認することもある。そして、圧縮スリーブ６０の全長に亘って数回〜十数回の圧縮処理が繰り返され、電線６１，６２を接続する修復作業が終了する。
【０００４】
ところで、圧縮ヘッド５１が設置される地面が平坦であるとは限らない上に、圧縮処理の際の圧縮スリーブ６０の位置固定は圧縮ヘッド５１の両側に位置する２名の作業員により行われるため、圧縮スリーブ６０の全長に亘る数回〜十数回の圧縮処理の間には、図８に仮想線で一例を示すように、圧縮スリーブ６０が固定ダイス５２と可動ダイス５３の間の適正位置に配置されず、圧縮スリーブ６０が振れて配置される場合がある。この状態で圧縮処理が行われると、圧縮時に固定ダイス５２と可動ダイス５３が圧縮スリーブ６０の外周面に直角に当たらないため、圧縮スリーブ６０が湾曲してしまう。その結果、全長に亘って数回〜十数回の圧縮処理を行った後の圧縮スリーブ６０が大きく湾曲し、圧縮強度が不均一になる。圧縮強度の不足部では電線６１，６２が抜けてしまう虞があり、圧縮強度の過大部では電線６１，６２や圧縮スリーブ６０が破断する虞がある。
【０００５】
この湾曲は、鋼心アルミ撚り線のような中心部に鋼線を有する送配電用電線の場合には特に問題となる。鋼心アルミ撚り線の接続の場合には、まず中心の鋼線どうしを細い圧縮スリーブで接続し、次いで圧縮後の細い圧縮スリーブと周囲のアルミ線の両方を太い圧縮スリーブに挿入して圧縮処理を行うが、細い圧縮スリーブが湾曲すると、太い圧縮スリーブ内にもはや挿入することができなくなるため、細い圧縮スリーブで接続した部分を切除し、細い圧縮スリーブの圧縮処理を再び行わなければならず、労力及び資源が無駄になる。
【０００６】
この湾曲の問題に対し、実開昭６１−８５０８６号公報（特許文献２）は、箱形のフレームの略中央に圧縮ヘッドを固定する受け台を設け、フレームの受け台の両側に、圧縮スリーブの両側を支持する把持金具を有する２つのスライドロッドを設け、圧縮ヘッドの固定ダイスの内周と両側の把持金具とが圧縮処理時に略同一線上に並ぶように構成した装置を開示している。この装置によると、圧縮処理時に、圧縮スリーブの外周面が固定ダイスの内周面に当接した状態で固定され、圧縮処理による湾曲が回避される。
【０００７】
また、実開昭６１−９６４９０号公報（特許文献３）は、地面上に配置される圧縮ダイス載置用のベース架台と、ベース架台内にスライド可能に取り付けられたスライド架台と、スライド架台の先端に配置される電線固定金具とから構成されている装置を開示している。装置不使用時には、スライド架台はベース架台に収納されているが、装置使用時には、スライド架台をベース架台から引き出し、スライド架台の先端に電線固定金具を配置し、接続されるべき電線を圧縮スリーブに対して直線状に保持して圧縮処理を行う。
【０００８】
【特許文献１】実公昭５０−３１４９８号公報
【特許文献２】実開昭６１−８５０８６号公報
【特許文献３】実開昭６１−９６４９０号公報
【発明の開示】
【発明が解決しようとする課題】
【０００９】
しかしながら、特許文献２に開示された装置によると、圧縮スリーブの全長に亘る圧縮処理の過程で圧縮位置の変更が必要となる度に、圧縮すべき箇所が圧縮ヘッドの固定ダイスと可動ダイスの間に位置するように圧縮スリーブを配置し直し、圧縮スリーブを把持金具で把持しなければならず、作業が煩雑である。また、何回も圧縮スリーブを配置し直す過程で、圧縮スリーブが固定ダイスと可動ダイスの間の適正な位置からずれて配置される虞もある。さらに、電線を把持しないため、圧縮作業開始前後に電線が圧縮スリーブ内で移動したり圧縮スリーブから抜け落ちる可能性もある。
【００１０】
特許文献３は、圧縮ヘッドの圧縮ダイスに対する圧縮スリーブの配置に関しては、特に記載していない。また、特許文献３に示された装置によると、圧縮作業開始前後に電線が圧縮スリーブ内で移動したり圧縮スリーブから抜け落ちることは回避されるものの、特許文献２の装置と同様に、圧縮スリーブの全長に亘る圧縮処理の過程で圧縮位置の変更が必要となる度に、圧縮すべき箇所が圧縮ヘッドの固定ダイスと可動ダイスの間に位置するように圧縮スリーブを配置し直さなければならない上に、電線固定金具が取り付けられているスライド架台のスライド量を調整する作業が必要になり、作業が非常に煩雑である。また、何回も圧縮スリーブを配置し直す過程で、圧縮スリーブが固定ダイスと可動ダイスの間の適正な位置からずれて配置される虞もある。
【００１１】
そこで、本発明の目的は、煩雑な作業を要せずに圧縮スリーブの圧縮位置を変更することができる上に、それぞれの圧縮位置において圧縮スリーブを湾曲させることなく圧縮処理を行うことができ、従って、全長に亘って圧縮処理を終了した後の圧縮スリーブが直線状になり、圧縮強度が均一になるような、圧縮ヘッドの支持器を提供することである。
【課題を解決するための手段】
【００１２】
上述の目的は、接続されるべき送配電用電線が挿入された圧縮スリーブを圧縮ダイスで圧縮する圧縮ヘッドの支持器であって、上記送配電用電線を該送配電用電線と上記圧縮スリーブとが直線状に並ぶように保持する保持手段と、上記圧縮ヘッドが上記圧縮スリーブに対して該圧縮スリーブの伸長方向に平行移動するように上記圧縮ヘッド及び上記保持手段の少なくとも一方を移動させる移動手段とを備えていることを特徴とする圧縮ヘッドの支持器によって達成される。
【００１３】
本発明において使用される「送配電用電線」には、表面に絶縁層を備えた被覆電線と絶縁層を備えていない裸電線の両方が包含される。裸電線の場合にはそのまま、被覆電線の場合には圧縮スリーブに挿入される部分の絶縁層を除去して使用する。本発明の圧縮ヘッドの支持器を使用するときは、送配電用電線の修復作業の開始時に、圧縮ヘッドの圧縮ダイス間に接続されるべき送配電用電線が挿入された圧縮スリーブを挿入し、あるいは、圧縮ヘッドの圧縮ダイス間に圧縮スリーブを挿入した後に圧縮スリーブに接続されるべき送配電用電線を挿入し、次いで、圧縮ダイスの適正位置に圧縮スリーブが配置されかつ送配電用電線と圧縮スリーブとが直線状に並ぶように、上記保持手段により送配電用電線を保持する。
【００１４】
そして、上記移動手段は、圧縮ヘッドが圧縮スリーブに対して圧縮スリーブの伸長方向に平行移動するように、圧縮ヘッド及び保持手段の少なくとも一方を移動させることができる手段であるため、圧縮スリーブの全長に亘って数回〜十数回の圧縮処理を行う過程で、圧縮位置の変更が必要となった場合には、上記移動手段を操作するだけで、それぞれの圧縮位置において圧縮スリーブを湾曲させることなく圧縮処理を行うことができ、煩雑な作業が必要でない。
【００１５】
送配電用電線の修復作業は、積雪や落雷等により送配電用電線が損傷を受けた場所、例えば山中で行われる。そのため、本発明の圧縮ヘッドの支持器を作業場所に運搬する必要があるが、本発明の圧縮ヘッドの支持器を、軽量で強靭なアルミ合金又はチタン合金等を用いて製造すると、運搬が容易であるため好ましい。
【００１６】
また、上記圧縮ヘッドの圧縮ダイスは一般に固定ダイスと可動ダイスとから構成されているが、この場合には、上記保持手段は、上記圧縮スリーブの外周面が上記固定ダイスの内周面に当接するように上記送配電用電線を保持する。このことにより、可動ダイスが固定ダイス側に移動する圧縮処理の際の圧縮スリーブの湾曲が回避される。
【００１７】
上記移動手段は、位置固定された圧縮ヘッドに対して保持手段を移動させる手段でも良く、位置固定された保持手段に対して圧縮ヘッドを移動させる手段でも良く、圧縮ヘッドと保持手段の両方を移動させる手段でも良いが、いずれの場合も、圧縮ヘッドを圧縮スリーブに対して圧縮スリーブの伸長方向に平行移動させる手段である。しかしながら、上記移動手段が、位置固定された保持手段に対して圧縮ヘッドを移動させる手段であると、作業に要するスペースが少なくて済むため好ましい。
【００１８】
従って、上記移動手段が、上記圧縮スリーブと平行に伸びる直線状の案内レール部を備えた基台と、上記基台上に配設されかつ上記案内レール部に沿って走行する上記圧縮ヘッドを搭載するための搭載バケットとを備えていると、搭載バケットに圧縮ヘッドを収容して基台の案内レール部に沿って搭載バケットを移動させるだけで、位置固定された保持手段により保持された圧縮スリーブに対して圧縮ヘッドを該圧縮スリーブの伸長方向に平行移動させることができる上に、作業に要するスペースが少なくて済むため好ましい。
【００１９】
そして、上記基台を、平行に配置されかつ上記案内レール部をそれぞれ有している一対の基礎部材と、該基礎部材の互いの端部を接続する折り畳み可能な一対の接続部材とから構成すると、基台を枠組みだけで構成することができるため軽量化できる上に、上記接続部材を折り畳んで基台をコンパクトにして作業場所に運搬することができるため好ましい。また、圧縮ヘッドは１０〜４０ｋｇとかなりの重量を有しているため、搭載バケットの底面に案内レール部に沿って走行するローラを備えておくと、重い圧縮ヘッドを搭載した後の搭載バケットの案内レール部に沿った走行がスムーズに行われるため好ましい。さらに、上記基台に上記搭載バケットの移動距離を測定するための目盛りが設けられていると、この目盛りを指標として搭載バケットの移動距離を調整することを介して、圧縮スリーブを圧縮ヘッドに対して所定のラップ幅でスライドさせることができ、従って圧縮スリーブの圧縮不足又は過圧縮を防止できるため好ましい。
【００２０】
上記保持手段は、上記基台に取り付けられているのが好ましく、この保持手段は、上記基台から上方に伸びている支柱と、該支柱の先端に設けられた上記圧縮スリーブと平行に伸びている上記送配電用電線を下方から支える支持体とを備えているのが好ましい。支持体が圧縮スリーブと平行に伸びていると、送配電用電線を安定に支持することができる。また、上記支柱の長さ（基台上面から支柱先端までの長さ）が調整可能になっていると、送配電用電線の太さが変更され、あるいは、搭載バケットに搭載される圧縮ヘッドが変更されても、支柱の長さを調整することにより、送配電用電線を適正に、すなわち、圧縮ダイスの適正位置に圧縮スリーブが配置されかつ送配電用電線と圧縮スリーブとが直線状に並ぶように保持することができるため好ましい。
【００２１】
圧縮スリーブの圧縮作業が進行するにつれて圧縮スリーブ及び送配電用電線の長さが伸びるが、上記保持手段が、上記圧縮スリーブの一方の端部から挿入された送配電用電線を保持する第１の保持部材と、上記圧縮スリーブの他方の端部から挿入された送配電用電線を保持する第２の保持部材とから構成されており、第１の保持部材が、上記基台に固定されており、第２の保持部材が、上記基台に第１の保持部材と離反する方向に移動可能に取り付けられており、付勢手段により第１の保持部材に近接する方向に付勢されていると、第２の保持部材が第１の保持部材と無関係に移動することがないため、圧縮開始前後に接続されるべき送配電用電線が圧縮スリーブ内で移動したり圧縮スリーブから抜け落ちるのが回避される。また、圧縮スリーブ及び送配電用電線の伸びに従って第１の保持部材と第２の保持部材が離反するため、伸びに依存する湾曲も防止できるため好ましい。
【発明の効果】
【００２２】
本発明の圧縮ヘッドの支持器によると、上記保持手段により、圧縮作業の間中、送配電用電線がこの電線と圧縮スリーブとが直線状に並ぶように保持され、圧縮ヘッド及び／又は保持手段を移動させる上記移動手段により、圧縮ヘッドが圧縮スリーブに対して圧縮スリーブの伸長方向に平行移動するため、圧縮スリーブの圧縮位置を変化させる際に、移動手段を操作するだけで、圧縮スリーブを湾曲させることなく圧縮処理を行うことができる。
【００２３】
従って、全長に亘って圧縮処理を行った後の圧縮スリーブが直線状になり、圧縮強度が均一になる。そのため、圧縮強度の不足による電線の抜けや、圧縮強度の過大による電線や圧縮スリーブの破断が回避される。また、圧縮作業のやり直しが回避されるため、資材が無駄になることが無い。
【００２４】
また、上記保持手段が送配電用電線を保持しているため、圧縮作業開始前後に電線が圧縮スリーブ内で移動したり圧縮スリーブから抜け落ちることがなく、さらに、移動手段を移動させる作業員と油圧ポンプを操作する作業員の２名で圧縮作業を終了させることができるため、労力の軽減に寄与することができる。
【発明を実施するための最良の形態】
【００２５】
以下、本発明の実施形態について、図面を参照しながら詳細に説明する。
【００２６】
図１〜３は、本発明の一実施形態の圧縮ヘッドの支持器に、圧縮ヘッドと圧縮スリーブに挿入された送配電用電線を配設した状態を示している。図１は概略的な正面図であり、図２は概略的な右側面図、図３は概略的な平面図である。
【００２７】
本実施の形態の圧縮ヘッドの支持器１は、移動手段としての基台２及び搭載バケット１０と、保持手段としての第１の保持部材２０ａ及び第２の保持部材２０ｂとを主要な構成要素として有している。そして、支持器１全体が、軽量で強靭なアルミ合金、チタン合金等で形成されている。
【００２８】
基台２は、一対の平行に配設された基礎部材３と、基礎部材３の互いの端部を接続する一対の接続部材５とから構成されている（図４参照）。
【００２９】
それぞれの基礎部材３は、矩形状の上部３ａ及び底部３ｃと上部３ａと底部３ｃの一方の縁辺を接続する矩形状の側部３ｂとから成るコの字アングル状の形状を有しており、圧縮されるべき圧縮スリーブ６０より十分に長い長さを有している。
【００３０】
そして、基礎部材３の上部３ａの開放端の縁辺に沿って、下方に突出した突起４が直線的に形成されている。この突起４は、後述するが、搭載バケット１０の走行を規制する案内レール部４として機能する。そして、それぞれの基礎部材３は、側部３ｂが外方に向くように配置される。また、一方の基礎部材３の上部３ａの外面上には、長さ目盛りが刻まれた目盛り板９が取り付けられている。
【００３１】
基礎部材３の底部３ｃの内面には、接続部材５が取り付けられている（図４参照）。それぞれの接続部材５は、一対の腕部６と、腕部６を連結する連結部７から構成されており、それぞれの腕部６は、連結部７及び一方の基礎部材３とピボット８を介して回転可能に接続されている。従って、図４の（ｂ）に示すように、基台２は、基礎部材３が互いに接近するように折り畳むことが可能であり、本実施の形態の圧縮ヘッドの支持器１を作業場所まで運搬する際には、コンパクトに折畳んだ状態で運搬することができる。また、基台２が基礎部材３と接続部材５とからなる枠組みのみで形成されているため、基台２を軽量化することができる。
【００３２】
搭載バケット１０は、圧縮ヘッドを内部に収納できるように、箱状の形状を有しており、その幅は基台２の接続部材５を伸長させた状態（図４の（ａ）参照）での基礎部材３の案内レール部４間の距離に略等しくなるように設計されている。また、搭載バケット１０の矩形状の底面の両端には、搭載バケット１０の幅よりもわずかに長い固定軸１１が、底面の縁辺と平行に一本ずつ取り付けられている。そして、固定軸１１の搭載バケット１０から側方に突き出した両端部には、上部ローラ１２が一個ずつ回転可能に取り付けられている。
【００３３】
搭載バケット１０の底面にはさらに、それぞれの固定軸１１の両端部の近傍に、下方に突き出した軸支持部１３が一個ずつ設けられており、それぞれの軸支持部１３には、略Ｃ字状に屈曲形成された可動軸１４が、固定軸１１に直交する軸を中心に回転可能なように取り付けられている。そして、それぞれの可動軸１４の先端には、下部ローラ１５が１個ずつ回転可能に取り付けられている。
【００３４】
基台２上に搭載バケット１０を配設する際には、基台２の接続部材５を伸長させた上で、図５に示すように、上部ローラ１２をそれぞれの基礎部材３の上部３ａの外面上に載置する。そして、可動軸１４を回転させて、下部ローラ１５を基礎部材３の上部３ａの内面に当接させ、上部ローラ１２と下部ローラ１４とを基礎部材３の上部３ａを挟んで対峙させる。この状態で搭載バケット１０を移動させると、下部ローラ１４が案内レール部４に案内されて走行するため、搭載バケット１０が案内レール部４に沿って直線的に走行することになる。また、案内レール部４によって、下部ローラ１４が基礎部材３からはずれるのが防止される。
【００３５】
搭載バケット１０にはさらに、基礎部材３上に設けられた目盛り板９の長さ目盛りを指し示すための指針１６が設けられている。指針１６が示す目盛り板９の長さ目盛りを読むことにより、搭載バケット１０の移動距離を知ることができる。
【００３６】
第１の保持部材２０ａと第２の保持部材２０ｂは、基台２の基礎部材３の両端にそれぞれ配設されている。この保持部材２０ａ，２０ｂは、基台から上方に伸びている支柱２４と、支柱の先端に設けられた支持体２５とを主要な構成要素として備えている。
【００３７】
両方の基礎部材３の側部３ｂの両端には、側部３ｂの外面に、支柱２４を支持するための円筒体２２が設けられた取付板２１が１個ずつ、ボルト２３により固定されている。そして、第１の保持部材２０ａと第２の保持部材２０ｂにおける支柱２４は、異なる基礎部材の円筒体２２にそれぞれ挿入される直立部２４ａと、直立部２４ａの先端から上方に行くにつれ互いに接近する方向に傾斜した傾斜部２４ｂと、傾斜部２４ｂの先端を接続する水平部２４ｃと、２本の傾斜部の間を接続する補強部２４ｄとから構成されている。
【００３８】
そして、水平部２４ｃの上側には、水平部２４ｃの伸びる方向と垂直な方向に伸びる、従ってまた基台２の基礎部材３の案内レール部４と平行に伸びる支持体２５が設けられている。この支持体２５は、下方に凸に湾曲した半円状の湾曲部を有しており、圧縮スリーブに挿入された送配電用電線を下方から支持する役割を果たす。支持体２５はまた、支柱２４から伸びる別の補強部２４ｄによっても支持されている。基台２の上面から支持体２５の下端（支柱先端）までの長さは、搭載バケット１０に収容された圧縮ヘッド５１の固定ダイス５２の内周面５２ａに、保持部材２０ａ、２０ｂにより保持された圧縮スリーブ６０の外周面６０ａが当接するような長さに調整されている（図２参照）。また、支持体２５の上方には、上方に凸に湾曲した半円状の湾曲部を有するカバー２６が被せられ、支持体２５とカバー２６とはボルト２７により固定されている。
【００３９】
送配電用電線６１，６２を接続する必要が生じた際には、作業員は、圧縮機とともに、本実施の形態の圧縮ヘッドの支持器１を構成する移動手段としての基台２及び搭載バケット１０と、保持手段としての保持部材２０ａ、２０ｂを、それぞればらばらな状態で作業場所に運搬してゆく。そして、図４の（ａ）に示すように、接続部材５を伸長させた状態で、基台２を地面上に置く。さらに、上述した方法で（図５参照)、基台２上に搭載バケット１０を配設し、搭載バケット１０に圧縮ヘッド５１を収容する。
【００４０】
さらに、保持部材２０ａ，２０ｂの取付板２１を基礎部材３の側部３ｂの外面にボルト２３で固定し、支柱２４の直立部２４ａを取付板２１に設けられた円筒体２２内に挿入する。そして、圧縮ヘッド５１の固定ダイス５２と可動ダイス５３の間に挿入された圧縮スリーブ６０の両端に、接続されるべき送配電用電線６１，６２を挿入し、送配電用電線６１，６２を第１の保持部材２０ａと第２の保持部材２０ｂの支持体２５とカバー２６で挟み、ボルト２７で固定する。このようにすると、保持部材２０ａ，２０ｂにより、送配電用電線６１，６２が、圧縮スリーブ６０が圧縮ダイス５２，５３の適正位置に、即ち、圧縮スリーブ６０の外周面６０ａが固定ダイス５２の内周面５２ａに当接するように配置され、かつ送配電用電線６１，６２と圧縮スリーブ６０とが直線状に並ぶように保持される。また、支持体２５及びカバー２６が送配電用電線６１，６２と同じ方向に伸びているため、支持体２５及びカバー２６により送配電用電線６１，６２を安定に保持することができる。
【００４１】
そして、作業員は、搭載バケット１０を移動させて、圧縮スリーブ６０の圧縮すべき箇所に圧縮ヘッド５１の固定ダイス５２と可動ダイス５３が位置するようにし、別の作業員が油圧ポンプ（図示せず）を操作して圧縮処理を行う。可動ダイス５３が固定ダイス５２側に移動する圧縮処理の際に、固定ダイス５２及び可動ダイス５３が圧縮スリーブ６０の外周面６０ａに直角に当接するため、圧縮による圧縮スリーブ６０の湾曲が回避される。
【００４２】
１回の圧縮処理が終了したら、搭載バケット１０の近傍に位置する作業員は、搭載バケット１０に設けられた指針１６の指し示す目盛り板９の目盛りを見ながら、圧縮スリーブ６０に対して予め定められているラップ幅の分だけ、搭載バケット１０を移動させる。搭載バケット１０は、搭載バケット１０の底面に設けられた上部ローラ１２及び下部ローラ１４により、基礎部材３の案内レール部４に沿って移動する。即ち、圧縮ヘッド５１が圧縮スリーブ６０の伸長方向に平行移動する。圧縮ヘッド５１はかなりの重量を有しているが、上部ローラ１２及び下部ローラ１４によりにスムーズに案内レール部４に沿って移動させることができる。また、目盛り板の使用により適正なラップ幅が確保されるため、圧縮スリーブ６０の圧縮不足又は過圧縮を防止できる。そして、圧縮ヘッド５１の平行移動後においても、保持部材２０ａ，２０ｂにより、圧縮スリーブ６０の外周面６０ａが固定ダイス５２の内周面５２ａに当接するように配置される。従って、この状態で圧縮処理を行うと、固定ダイス５２及び可動ダイス５３が圧縮スリーブ６０の外周面６０ａに直角に当接するため、圧縮による圧縮スリーブ６０の湾曲が回避される。以下、圧縮スリーブ６０の全長に亘って圧縮処理を繰り返して、送配電用電線６１，６２の接続作業を終了する。
【００４３】
このように、本実施の形態の支持器１によると、保持部材２０ａ，２０ｂにより、圧縮作業の間中、送配電用電線６１，６２がこの電線６１，６２と圧縮スリーブ６０とが直線状に並ぶように保持され、また搭載バケット１０を基礎部材３の案内レール部４に沿って移動させるだけで、固定ダイス５２の内周面５２ａに圧縮スリーブ６０の外周面６０ａを当接させた状態で圧縮処理を行うことができるため、圧縮時には固定ダイス５２及び可動ダイス５３が圧縮スリーブ６０の外周面６０ａに直角に当接し、圧縮スリーブを湾曲させることなく圧縮作業を完了することができる。また、作業を２名の作業員で行うことができ、労力の軽減が図られる。
【００４４】
以上、本発明の一実施形態について説明したが、本発明は上述の実施形態に限定されず、本発明の趣旨を逸脱しない範囲内での変更が可能である。例えば、図６に示すように、円筒体２２に調整ボルト３４を設け、円筒体２２に挿入される支柱２４の挿入量を調整ボルト３４により調整することにより、基台２の上面から支持体２５の下端部までの距離を調整するようにしても良い。このようにすると、送配電用電線６１，６２の太さが変更され、あるいは、搭載バケット１０に搭載される圧縮ヘッド５１が変更されても、圧縮ダイスの適正位置に圧縮スリーブ６０が配置されかつ送配電用電線６１，６２と圧縮スリーブ６０とが直線状に並ぶように送配電用電線６１，６２を保持することができる。
【００４５】
さらに、図６に示すように、第１の保持部材２０ａの取付板２１を、基礎部材３に固定された固定板３１に取り付け、第２の保持部材２０ｂの取付板２１を、基礎部材３の側部の外面の上下に設けられたスライドレール３０中をスライドするスライド板３２に取り付け、さらに、第１の保持部材２０ａと第２の保持部材２０ｂとをバネ３３で連結することができる。このようにすると、第２の保持部材２０ｂが第１の保持部材２０ａと無関係に移動することがないため、圧縮開始前後に接続されるべき送配電用電線が圧縮スリーブ内で移動したり圧縮スリーブから抜け落ちるのが回避される上に、圧縮作業の進行と共に生じる圧縮スリーブ及び送配電用電線の伸びに従って第１の保持部材２０ａと第２の保持部材２０ｂが離反するため、圧縮スリーブ及び送配電用電線の伸びに起因する湾曲も好適に防止することができる。
【００４６】
さらに、本発明の圧縮ヘッドの支持器における移動手段は、位置固定された圧縮ヘッドに対して保持手段を移動させる手段でも良い。例えば、圧縮ヘッドの搭載バケットを地面上に置かれた架台上に配設し、この架台にスライドレールを設け、このスライドレール中を摺動するスライドバーの両端に第１の保持部材と第２の保持部材とを固定し、このスライドバーを移動させるようにしても良い。
【図面の簡単な説明】
【００４７】
【図１】本発明の一実施形態の圧縮ヘッドの支持器に圧縮ヘッドと圧縮スリーブに挿入された送配電用電線を配設した状態を示す概略的な正面図である。
【図２】図１に示す支持器に圧縮ヘッドと圧縮スリーブに挿入された送配電用電線を配設した状態を示す概略的な右側面図である。
【図３】図１に示す支持器に圧縮ヘッドと圧縮スリーブに挿入された送配電用電線を配設した状態を示す概略的な平面図である。
【図４】図１に示す支持器における基台の構成を示す図である。
【図５】図１に示す支持器における搭載バケットの基台への取り付け方法を示す説明図である。
【図６】本発明の別の実施形態の圧縮ヘッドの支持器の概略的な正面図である。
【図７】従来の圧縮機の概略的な説明図である。
【図８】従来の圧縮機の圧縮ヘッドの圧縮ダイス間に圧縮スリーブが配設された状態を示す概略図である。
【符号の説明】
【００４８】
１      支持器
２      基台（移動手段）
３      基礎部材
４      案内レール部
５      接続部材
６      腕部
７      連結部
９      目盛り板
１０    搭載バケット（移動手段）
１６    指針
２０ａ    第１の保持部材（保持手段）
２０ｂ    第２の保持部材（保持手段）
２４    支柱
２５      支持体
３０    スライドレール
３１    固定板
３２    スライド板
３３    バネ（付勢手段）
３４    調整ボルト
５０    圧縮機
５１    圧縮ヘッド
５２    固定ダイス
５３    可動ダイス
６０    圧縮スリーブ
６１，６２    送配電用電線
【図１】
2008234891.tif 000003
【図２】
2008234891.tif 000004
【図３】
2008234891.tif 000005
【図４】
2008234891.tif 000006
【図５】
2008234891.tif 000007
【図６】
2008234891.tif 000008
【図７】
2008234891.tif 000009
【図８】
2008234891.tif 000010